(57)【要約】【課題】非常に高い乾燥効率を確実に実現することができる乾燥装置を提供する。【解決手段】乾燥装置１０は、縦型円筒形状の乾燥槽１１内に、複数枚の基羽根２２，２２０で構成された回転巻上羽根２１，２１０を回転軸２０に沿って上下に並ぶ複数段に配設して成る。各回転巻上羽根２１，２１０が回転すると、被乾燥物は遠心力により乾燥槽内壁に薄膜状に押し付けられて上昇するが、この過程で乾燥槽１１内に外部から熱風を導入し、被乾燥物の薄膜状の内周側に吹き付け、被乾燥物を乾燥させる。【選択図】図１
2014105916.tif 000002
【特許請求の範囲】
【請求項１】
被乾燥物が投入される縦型円筒形状の乾燥槽と、前記乾燥槽内中心部に設けた縦方向に延びる回転軸に取り付けた回転巻上羽根と、を有する乾燥装置において、
前記回転巻上羽根は、前記回転軸を中心に円周方向に並ぶように配された複数の基羽根から成り、各基羽根は、平面視でそれぞれが円周方向に延び、被乾燥物をそれぞれの一端部から載せて他端部に移動させつつ巻き上げ可能な平坦面を有し、この平坦面は、回転方向と逆方向に向かい一端部から他端部にかけて斜め上方に延びるように形成され、
前記回転巻上羽根は、前記回転軸の回転に伴って被乾燥物を、各基羽根の平坦面上に載せて一端部から他端部へと巻き上げつつ、遠心力により前記乾燥槽内壁に薄膜状に押し付け、かつ該内壁に沿って連続して上昇させ、
被乾燥物が上昇する過程で、前記乾燥槽内に外部から熱風を導入して、該熱風を被乾燥物の薄膜状の内周側に吹き付けることにより、該内周側より被乾燥物を加熱して水分蒸発を推進させることを特徴とする乾燥装置。
【請求項２】
被乾燥物が投入される縦型円筒形状の乾燥槽と、前記乾燥槽内壁を加熱する加熱手段と、前記乾燥槽内中心部に設けた縦方向に延びる回転軸に取り付けた回転巻上羽根と、を有する乾燥装置において、
前記回転巻上羽根は、前記回転軸を中心に円周方向に並ぶように配された複数の基羽根から成り、各基羽根は、平面視でそれぞれが円周方向に延び、被乾燥物をそれぞれの一端部から載せて他端部に移動させつつ巻き上げ可能な平坦面を有し、この平坦面は、回転方向と逆方向に向かい一端部から他端部にかけて斜め上方に延びるように形成され、
前記回転巻上羽根は、前記回転軸の回転に伴って被乾燥物を、各基羽根の平坦面上に載せて一端部から他端部へと巻き上げつつ、遠心力により前記乾燥槽内壁に薄膜状に押し付け、かつ該内壁に沿って連続して上昇させ、
被乾燥物が上昇する過程で、前記乾燥槽内壁より加熱されて含水率の低くなった被乾燥物が薄膜状の内周側の蒸発面に移動しつつ水分蒸発が推進され、加えて前記乾燥槽内に外部から熱風を導入して、該熱風を被乾燥物の薄膜状の内周側に吹き付けることにより、該内周側からも被乾燥物を加熱して前記蒸発面における水分蒸発を促進させることを特徴とする乾燥装置。
【請求項３】
前記熱風は、前記乾燥槽の底部において中心側より側方に向けて吹き出され、前記回転巻上羽根の回転より生じる気流と遠心力により渦巻き状になって上昇しつつ、前記被乾燥物の薄膜状の内周側に吹き付けられることを特徴とする請求項１または２に記載の乾燥装置。
【請求項４】
前記乾燥工程中に前記乾燥槽内で発生する廃ガスを導いて燃焼させ無害化する燃焼炉を備え、
前記燃焼炉における燃焼で生じた熱風を、前記乾燥工程中の前記乾燥槽内に導入することを特徴とする請求項１，２または３に記載の乾燥装置。
【請求項５】
前記回転巻上羽根は、前記回転軸に沿って上下に並ぶ複数段に配設され、
複数段の回転巻上羽根は、前記回転軸に沿って並ぶ上下間において、それぞれの各基羽根が平面視で所定角度ずつ位相がずれ、回転方向と逆方向に延びる多重螺旋階段状に並ぶように配設され、最下段の回転巻上羽根から最上段の回転巻上羽根まで前記乾燥工程が連続して順次繰り返されるように設定され、
前記回転巻上羽根の各基羽根の平坦面は、平面視で３６０度の円周範囲内の長さで細幅形状に延び、かつ最下段を除く他の段の回転巻上羽根における各基羽根の平坦面は、平面視で同一円周上に並ぶ隣り合う基羽根同士の平坦面が円周方向に互いに重ならない長さに設定され、
複数段の回転巻上羽根において、上下に並ぶそれぞれの各基羽根は、下方の基羽根の他端部に対して、回転方向と逆方向の間近に位置する上方の基羽根の一端部が、平面視で重ならずに前記逆方向に離隔し、前記下方の基羽根の他端部における平坦面を延長した傾斜面より下方に位置しつつ前記多重螺旋階段状に並ぶことを特徴とする請求項１，２，３または４に記載の乾燥装置。
【請求項６】
複数段の回転巻上羽根の上下間のクリアランスは、回転巻上羽根の各基羽根の他端部最上端からその一段上の回転巻上羽根の各基羽根の一端部最下端までの寸法が、各基羽根の平坦面の最外周端を結ぶ円直径の０〜１５％となる比率として、最下段の回転巻上羽根から最上段の回転巻上羽根まで前記乾燥工程が連続して順次繰り返されるように設定したことを特徴とする請求項５に記載の乾燥装置。
【請求項７】
最上段の回転巻上羽根の上方に、前記乾燥槽内壁に設けられ、前記最上段の回転巻上羽根より上方に向かう薄膜状の被乾燥物を受け止めて、回転巻上羽根の内側より下方へ落下させる受止板を配設し、
前記受止板は、その面が前記回転巻上羽根の回転方向と対向するように配される板状の部材から成り、２以上が円周方向に並ぶように配されることを特徴とする請求項５または６に記載の乾燥装置。
【発明の詳細な説明】
【技術分野】
【０００１】
本発明は、縦型円筒形状の乾燥槽内に投入した被乾燥物を巻き上げつつ、前記乾燥槽内壁に押し付け乾燥させる乾燥装置に関する。
【背景技術】
【０００２】
従来、この種の乾燥装置としては、粒状、粉末状、液状、塊状等、種々様々な被乾燥物を乾燥させる装置が知られている。特に本出願人は、サイクロンフィンと呼ばれる独自の羽根の開発により、理想の乾燥条件を実現することができる乾燥装置を既に提案している（例えば、特許文献１，２参照）。
【０００３】
すなわち、縦型円筒形状の乾燥槽内に投入された被乾燥物が、回転軸に取り付けられた回転巻上羽根を構成する複数の基羽根の回転により巻き上げられると共に、遠心力により乾燥槽内壁の伝熱面に薄膜状に押し付けられ、後から巻き上げられる被乾燥物が先に巻き上げられた被乾燥物を上方へ押し上げる作用と相俟って、被乾燥物を効率良く乾燥させるものである。
【０００４】
この装置は、本出願人がさらに以前に提案している垂直螺旋回転羽根を有する乾燥装置（例えば、特許文献３参照）が有していた課題、すなわち、粘性の強い被乾燥物の羽根・伝熱面への付着と滞留や、基羽根と伝熱面間のクリアランスへの固形物の噛み込み防止、被乾燥物の巻き上げ効率の改善、伝熱面全面の有効活用による乾燥効率の向上等の課題を解決するために提案されたものであった。
【０００５】
また、回転巻上羽根は一段だけとは限らず、上下に複数段に並ぶように構成したものも開示されている。このように複数段に構成することにより、乾燥物を次々と各段の基羽根によって巻き上げつつ、伝熱面に押し付け乾燥させた被乾燥物を、最上段の基羽根によって巻き上げた後、乾燥物を得る。すなわち、被乾燥物は、乾燥槽の底部から上部まで乾燥されながら連続して上昇するように設計されていた。
【先行技術文献】
【特許文献】
【０００６】
【特許文献１】特許第２８４０６３９号公報
【特許文献２】特許第２９５８８６９号公報
【特許文献３】実開平３−１９５０１号公報
【発明の概要】
【発明が解決しようとする課題】
【０００７】
前述した特許文献１，２に記載された乾燥装置は、回転巻上羽根を多段に構成することで、よりいっそう乾燥効率を高めることができるものであったが、多段に構成することに起因して幾つかの解決すべき問題点が新たに生じていた。
【０００８】
すなわち、被乾燥物を、最下段の回転巻上羽根から最上段の回転巻上羽根まで連続して上昇させることで、初めて縦型の利点を生かした非常に高い乾燥効率を実現できるが、被乾燥物を各段ごとに順次上昇させるためには、各段間における基羽根の相対的な配置や間隔（クリアランス）が極めて重要となるが、その具体的な配置の設定が非常に煩雑で難しいという問題があった。
【０００９】
さらに、回転巻上羽根を多段に構成することとは別に、一段あるいは多段に拘わらず、よりいっそう乾燥効率を高めるための工夫が望まれていた。例えば、被乾燥物は乾燥槽内壁の伝熱面に対して薄膜状に接触することで加熱され、含水率の低くなった被乾燥物は薄膜状の内周側の蒸発面に移動して水分が蒸発するが、この薄膜状の外周側が接する伝熱面による加熱の代わりに、内周側の蒸発面における加熱も研究されていた。
【００１０】
本発明は、前述したような従来の技術が有する問題点に着目してなされたものであり、乾燥槽内における加熱を工夫することにより、回転巻上羽根が多段であるか否かを問わず、よりいっそう乾燥効率を格段に高めることができ、また、回転巻上羽根が多段である場合に、各段間において被乾燥物を円滑に順次上昇させることができ、縦型の利点を生かした非常に高い乾燥効率を確実に実現することができる乾燥装置を提供することを目的としている。
【課題を解決するための手段】
【００１１】
本件発明者らは、乾燥装置に関する鋭意検討の結果、縦型円筒形状の乾燥槽内部に回転巻上羽根を備えた乾燥装置において、乾燥槽内壁の加熱に代えて、あるいは加えて乾燥槽内に熱風を導入することにより、回転巻上羽根が多段であるか否かを問わず、よりいっそう乾燥効率を格段に高めることができることを明らかにした。
【００１２】
また、回転巻上羽根を上下に並ぶ複数段にした場合に、各段間における基羽根の相対的な配置を特別な配置に設定したり、各段の間隔（クリアランス（Ｆ））を適切な値に設定することによって、縦型の利点を生かした非常に高い乾燥効率を実現できることを明らかにした。
【００１３】
かかる結論に鑑みて、前述した目的を達成するための本発明の要旨とするところは、以下の各項に存する。  
［１］被乾燥物が投入される縦型円筒形状の乾燥槽（１１，１１Ａ，１１Ｂ）と、前記乾燥槽（１１，１１Ａ，１１Ｂ）内中心部に設けた縦方向に延びる回転軸（２０）に取り付けた回転巻上羽根（２１，２１０，３１，３１０）と、を有する乾燥装置（１０，１０Ａ，１０Ｂ）において、
前記回転巻上羽根（２１，２１０，３１，３１０）は、前記回転軸（２０）を中心に円周方向に並ぶように配された複数の基羽根（２２，２２０，３２，３２０）から成り、各基羽根（２２，２２０，３２，３２０）は、平面視でそれぞれが円周方向に延び、被乾燥物をそれぞれの一端部から載せて他端部に移動させつつ巻き上げ可能な平坦面（２３，２３０，３３，３３０）を有し、この平坦面（２３，２３０，３３，３３０）は、回転方向と逆方向に向かい一端部から他端部にかけて斜め上方に延びるように形成され、
前記回転巻上羽根（２１，２１０，３１，３１０）は、前記回転軸（２０）の回転に伴って被乾燥物を、各基羽根（２２，２２０，３２，３２０）の平坦面（２３，２３０，３３，３３０）上に載せて一端部から他端部へと巻き上げつつ、遠心力により前記乾燥槽内壁（１２）に薄膜状に押し付け、かつ該内壁（１２）に沿って連続して上昇させ、
被乾燥物が上昇する過程で、前記乾燥槽（１１，１１Ａ，１１Ｂ）内に外部から熱風を導入して、該熱風を被乾燥物の薄膜状の内周側に吹き付けることにより、該内周側より被乾燥物を加熱して水分蒸発を推進させることを特徴とする乾燥装置（１０，１０Ａ，１０Ｂ）。
【００１４】
［２］被乾燥物が投入される縦型円筒形状の乾燥槽（１１，１１Ａ，１１Ｂ）と、前記乾燥槽内壁（１２）を加熱する加熱手段と、前記乾燥槽（１１，１１Ａ，１１Ｂ）内中心部に設けた縦方向に延びる回転軸（２０）に取り付けた回転巻上羽根（２１，２１０，３１，３１０）と、を有する乾燥装置（１０，１０Ａ，１０Ｂ）において、
前記回転巻上羽根（２１，２１０，３１，３１０）は、前記回転軸（２０）を中心に円周方向に並ぶように配された複数の基羽根（２２，２２０，３２，３２０）から成り、各基羽根（２２，２２０，３２，３２０）は、平面視でそれぞれが円周方向に延び、被乾燥物をそれぞれの一端部から載せて他端部に移動させつつ巻き上げ可能な平坦面（２３，２３０，３３，３３０）を有し、この平坦面（２３，２３０，３３，３３０）は、回転方向と逆方向に向かい一端部から他端部にかけて斜め上方に延びるように形成され、
前記回転巻上羽根（２１，２１０，３１，３１０）は、前記回転軸（２０）の回転に伴って被乾燥物を、各基羽根（２２，２２０，３２，３２０）の平坦面（２３，２３０，３３，３３０）上に載せて一端部から他端部へと巻き上げつつ、遠心力により前記乾燥槽内壁（１２）に薄膜状に押し付け、かつ該内壁（１２）に沿って連続して上昇させ、
被乾燥物が上昇する過程で、前記乾燥槽内壁（１２）より加熱されて含水率の低くなった被乾燥物が薄膜状の内周側の蒸発面（Ｅ）に移動しつつ水分蒸発が推進され、加えて前記乾燥槽（１１，１１Ａ，１１Ｂ）内に外部から熱風を導入して、該熱風を被乾燥物の薄膜状の内周側に吹き付けることにより、該内周側からも被乾燥物を加熱して前記蒸発面（Ｅ）における水分蒸発を促進させることを特徴とする乾燥装置（１０，１０Ａ，１０Ｂ）。
【００１５】
［３］前記熱風は、前記乾燥槽（１１，１１Ａ，１１Ｂ）の底部において中心側より側方に向けて吹き出され、前記回転巻上羽根（２１，２１０，３１，３１０）の回転より生じる気流と遠心力により渦巻き状になって上昇しつつ、前記被乾燥物の薄膜状の内周側に吹き付けられることを特徴とする［１］または［２］に記載の乾燥装置（１０，１０Ａ，１０Ｂ）。
【００１６】
［４］前記乾燥工程中に前記乾燥槽（１１，１１Ａ，１１Ｂ）内で発生する廃ガスを導いて燃焼させ無害化する燃焼炉を備え、
前記燃焼炉における燃焼で生じた熱風を、前記乾燥工程中の前記乾燥槽（１１，１１Ａ，１１Ｂ）内に導入することを特徴とする［１］，［２］または［３］に記載の乾燥装置（１０，１０Ａ，１０Ｂ）。
【００１７】
［５］前記回転巻上羽根（２１，２１０，３１，３１０）は、前記回転軸（２０）に沿って上下に並ぶ複数段に配設され、
複数段の回転巻上羽根（２１，２１０，３１，３１０）は、前記回転軸（２０）に沿って並ぶ上下間において、それぞれの各基羽根（２２，２２０，３２，３２０）が平面視で所定角度ずつ位相がずれ、回転方向と逆方向に延びる多重螺旋階段状に並ぶように配設され、最下段の回転巻上羽根（２１，３１）から最上段の回転巻上羽根（２１０，３１０）まで前記乾燥工程が連続して順次繰り返されるように設定され、
前記回転巻上羽根（２１，２１０，３１，３１０）の各基羽根（２２，２２０，３２，３２０）の平坦面（２３，２３０，３３，３３０）は、平面視で３６０度の円周範囲内の長さで細幅形状に延び、かつ最下段を除く他の段の回転巻上羽根（２１０，３１０）における各基羽根（２２０，３２０）の平坦面（２３０，３３０）は、平面視で同一円周上に並ぶ隣り合う基羽根（２２０，３２０）同士の平坦面（２３０，３３０）が円周方向に互いに重ならない長さに設定され、
複数段の回転巻上羽根（２１，２１０，３１，３１０）において、上下に並ぶそれぞれの各基羽根（２２，２２０，３２，３２０）は、下方の基羽根（２２，２２０，３２，３２０）の他端部に対して、回転方向と逆方向の間近に位置する上方の基羽根（２２０，３２０）の一端部が、平面視で重ならずに前記逆方向に離隔し、前記下方の基羽根（２２，２２０，３２，３２０）の他端部における平坦面（２３，２３０，３３，３３０）を延長した傾斜面より下方に位置しつつ前記多重螺旋階段状に並ぶことを特徴とする［１］，［２］，［３］または［４］に記載の乾燥装置（１０，１０Ａ，１０Ｂ）。
【００１８】
［６］複数段の回転巻上羽根（２１，２１０，３１，３１０）の上下間のクリアランスは、回転巻上羽根（２１，２１０，３１，３１０）の各基羽根（２２，２２０，３２，３２０）の他端部最上端からその一段上の回転巻上羽根（２１０，３１０）の各基羽根（２２０，３２０）の一端部最下端までの寸法が、各基羽根（２２，２２０，３２，３２０）の平坦面（２３，２３０，３３，３３０）の最外周端を結ぶ円直径の０〜１５％となる比率として、最下段の回転巻上羽根（２１，３１）から最上段の回転巻上羽根（２１０，３１０）まで前記乾燥工程が連続して順次繰り返されるように設定したことを特徴とする［５］に記載の乾燥装置（１０，１０Ａ，１０Ｂ）。
【００１９】
［７］最上段の回転巻上羽根（２１０）の上方に、前記乾燥槽（１１）内壁（１２）に設けられ、前記最上段の回転巻上羽根（２１０）より上方に向かう薄膜状の被乾燥物を受け止めて、回転巻上羽根（２１０）の内側より下方へ落下させる受止板（３０）を配設し、
前記受止板（３０）は、その面が前記回転巻上羽根（２１０）の回転方向と対向するように配される板状の部材から成り、２以上が円周方向に並ぶように配されることを特徴とする［５］または［６］に記載の乾燥装置（１０）。
【００２０】
次に、前述した解決手段に基づく作用を説明する。  
前記［１］に記載の乾燥装置（１０，１０Ａ，１０Ｂ）によれば、回転巻上羽根（２１，２１０，３１，３１０）が回転軸（２０）の回転に伴って回転すると、各基羽根（２２，２２０，３２，３２０）ごとに被乾燥物を平坦面（２３，２３０，３３，３３０）の一端部から他端部へと巻き上げつつ、遠心力により乾燥槽内壁（１２）に薄膜状に押し付け、かつ該内壁（１２）に沿って連続して上昇させる。
【００２１】
粘性の強い被乾燥物であっても、各基羽根（２２，２２０，３２，３２０）や乾燥槽内壁（１２）に付着しにくく、たとえ付着しても被乾燥物を各基羽根（２２，２２０，３２，３２０）によって乾燥槽内壁（１２）全面に渡って巻き上げ上昇させるので、被乾燥物が停滞することがない。
【００２２】
各基羽根（２２，２２０，３２，３２０）の平坦面（２３，２３０，３３，３３０）は、乾燥槽内壁（１２）に沿った細長形状となり、一端部から他端部に向かって斜め上方に延びているから、単に被乾燥物に衝撃を与えるのではなく、被乾燥物の巻き上げ作用と乾燥槽内壁（１２）への押し付け作用を効果的に発揮させることができる。
【００２３】
このように被乾燥物が上昇する過程において、前記乾燥槽（１１，１１Ａ，１１Ｂ）内に外部から熱風を導入して、該熱風を被乾燥物の薄膜状の内周側に吹き付けることにより、該内周側より被乾燥物を加熱して水分蒸発を推進させる。被乾燥物は乾燥槽内壁（１２）に沿って薄膜状に拡がるが、ここで被乾燥物が空気に接する内周側より熱風があたり積極的に加熱されるため、加熱効率を高めることができる。
【００２４】
また、前記［２］に記載の乾燥装置（１０，１０Ａ，１０Ｂ）によれば、被乾燥物が乾燥槽内壁（１２）に沿って薄膜状に上昇する過程において、乾燥工程中においては、乾燥槽内壁（１２）より加熱されて含水率の低くなった被乾燥物は、薄膜状の内周側となる蒸発面（Ｅ）に移動しつつ水分蒸発が推進される。
【００２５】
これに加えて、乾燥槽（１１，１１Ａ，１１Ｂ）内に外部から熱風を導入して、該熱風を被乾燥物の薄膜状の内周側に吹き付ける。被乾燥物は上方に向かって徐々に乾燥槽内壁（１２）と蒸発面（Ｅ）が近くなるような薄膜状に拡がるが、加熱手段で加熱されている乾燥槽内壁（１２）に接した外周側のみならず、内周側からも熱風により積極的に加熱されるため、前記蒸発面（Ｅ）における水分蒸発がよりいっそう促進されることになる。
【００２６】
前記［３］に記載したように、前記熱風は、乾燥槽（１１，１１Ａ，１１Ｂ）の底部において中心側より側方に向けて吹き出され、回転巻上羽根（２１，２１０，３１，３１０）の回転より生じる気流と遠心力により渦巻き状になって上昇しつつ、被乾燥物の薄膜状の内周側に吹き付けられる。これにより、乾燥槽（１１，１１Ａ，１１Ｂ）内部の気流と熱風とが衝突し合うことがなく、前述した被乾燥物の巻き上げ作用を損ねる虞はなく、被乾燥物の薄膜状の内周側に満遍なく吹き付けることができる。
【００２７】
また、前記熱風の発生源は特に問わないが、前記［４］に記載したように、乾燥装置（１０，１０Ａ，１０Ｂ）が乾燥槽（１１，１１Ａ，１１Ｂ）内で発生する廃ガスを導き、燃焼させて無害化する燃焼炉を備える場合には、この燃焼炉における燃焼で生じた熱風を乾燥槽（１１，１１Ａ，１１Ｂ）内に導入すれば良い。このように、燃焼炉を熱風の発生源として利用することにより、ランニングコストを低減することが可能となる。
【００２８】
ここで、燃焼炉における燃焼で生じた熱風を、前記乾燥槽内壁（１２）の加熱手段として利用しても良い。このように、燃焼炉からの熱風を有効に活用することにより、前記乾燥槽内壁（１２）の加熱手段を別途用意する必要がなく、よりいっそうランニングコストを低減することが可能となる。
【００２９】
ところで、本乾燥装置（１０，１０Ａ，１０Ｂ）で処理する被乾燥物の種類は様々であり、一定の水分含量や重量であるとは限らない。また、同じ被乾燥物であっても、最初は未だ水分含量が多く重量があり、容易に遠心力が生じたり惰性である程度上昇しやすいが、乾燥により水分蒸発が進むと、重量が軽くなり遠心力も生じなくなり、縦方向への上昇力も乏しくなる。かかる事実に鑑み、種々様々な被乾燥物を最初から最後まで、如何に乾燥槽内壁（１２）に薄膜状に押し付けるか、そして縦方向に上昇させるかが、重要な課題であった。
【００３０】
被乾燥物を縦方向に上昇させる巻き上げ作用に関しては、回転巻上羽根（２１，２１０，３１，３１０）を回転軸（２０）に沿って上下に並ぶ複数段に配設した場合に、上下に並ぶ各段の回転巻上羽根（２１，２１０，３１，３１０）ごとの間隔を一定にした状態であれば、回転巻上羽根（２１，２１０，３１，３１０）の直径による回転数（周速度）と密接な関係があり、これらの相関関係が多少変動したとしても、回転巻上羽根（２１，２１０，３１，３１０）の直径の１／２〜２／３程度の高さまでは、特に前記押し付け作用を考慮しなければ容易に上昇させることができる。
【００３１】
しかし、この程度の上昇だけでは、乾燥槽内壁（１２）の縦方向において被乾燥物が接触しない面積が比較的大きく、乾燥槽内壁（１２）全面を有効に活用しないことになり、縦型の利点を生かした乾燥効率の向上が望めなかった。ここで、被乾燥物を縦方向にさらに上昇させるためには、回転巻上羽根（２１，２１０，３１，３１０）の回転による遠心力や羽根の角度の工夫だけでは限界があった。
【００３２】
そこで、発明者らは様々な実験を行った結果、被乾燥物を縦方向にさらに上昇させるため、すなわち巻き上げ力を高めるために重要となるのが、各段の回転巻上羽根（２１，２１０，３１，３１０）における上下間の基羽根（２２，２２０，３２，３２０）の相対的な配置であることを突き止めた。被乾燥物の当初の水分含量や、乾燥が進み水分含量が減少して当初の遠心力や惰力が次第に減少することを考慮し、前記上下間の基羽根（２２，２２０，３２，３２０）の相対的な配置を特別な配置に設定すれば、回転巻上羽根（２１，２１０，３１，３１０）の直径の３〜４倍程度の高さまで被乾燥物を上昇させることができた。
【００３３】
以上のような実証を踏まえて発明者らは鋭意検討した結果、最適な押し付け作用と巻き上げ作用を両立させるためには、各段の回転巻上羽根（２１，２１０，３１，３１０）における上下間の基羽根（２２，２２０，３２，３２０）の相対的な配置を特別な配置に設定することが重要であり、この特別な配置は、前記［５］に記載した構成であることを明らかにした。
【００３４】
すなわち、前記［５］に記載の乾燥装置（１０，１０Ａ，１０Ｂ）によれば、回転巻上羽根（２１，２１０，３１，３１０）が上下に複数段あることにより、各段ごとに被乾燥物を巻き上げつつ、薄膜状に乾燥槽内壁（１２）に押し付け、後から巻き上げる被乾燥物で先に巻き上げた被乾燥物を一段上まで押すように上昇させる。ここで重要となるのが、前述したように各段の回転巻上羽根（２１，２１０，３１，３１０）における上下間の基羽根（２２，２２０，３２，３２０）の相対的な配置であり、具体的には、複数段の回転巻上羽根（２１，２１０，３１，３１０）を、回転軸（２０）に沿って並ぶ上下間において、それぞれの各基羽根（２２，２２０，３２，３２０）が平面視で所定角度ずつ位相がずれ、回転方向と逆方向に延びる多重螺旋階段状に並ぶように配設する。
【００３５】
このような特別な配置により、下の段の基羽根（２２，２２０，３２，３２０）で巻き上げられて斜め上方に移動する被乾燥物が、上の段の回転している基羽根（２２０，３２０）の下面で押さえられることがなく、上の段の基羽根（２２０，３２０）の一端部にタイミング良くすくい上げられるようにして、被乾燥物は各基羽根（２２，２２０，３２，３２０）の多重螺旋階段を上るように順次移動する。これにより、最下段の回転巻上羽根（２１，３１）から最上段の回転巻上羽根（２１０，３１０）まで、被乾燥物を連続して乾燥しつつ順次上昇させることができ、乾燥槽内壁（１２）の縦方向における全面を有効に活用することになり、縦型の利点を生かした非常に高い乾燥効率を確実に実現することができる。
【００３６】
また、回転巻上羽根（２１，２１０，３１，３１０）の各基羽根（２２，２２０，３２，３２０）の平坦面（２３０，３３０）は、平面視で３６０度の円周範囲内の長さしか有さず、独立しているので、各基羽根（２２，２２０，３２，３２０）の平坦面（２３，２３０，３３，３３０）の外周端と乾燥槽内壁（１２）との間のクリアランスも、各基羽根（２２，２２０，３２，３２０）間に連続して連ならず非連続に分断される。これにより、異物がクリアランスに噛み込み難くなり、仮に噛み込んだとしても直ちに逃げ、噛み込みが継続することがなく、各基羽根（２２，２２０，３２，３２０）を円滑に回転させることができる。
【００３７】
しかも、最下段を除く他の段の回転巻上羽根（２１０，３１０）における各基羽根（２２０，３２０）の平坦面（２３，２３０，３３，３３０）は、平面視で同一円周上に並ぶ隣り合う基羽根（２２０，３２０）同士の平坦面（２３０，３３０）が円周方向に互いに重ならない長さに設定されている。これにより、各基羽根（２２０，３２０）を上下間で所定角度ずつ位相がずれるように配置する設定が容易であり、特に、多重螺旋階段状に並ぶように適切な位置での配置が可能となる。
【００３８】
前記特別な配置について詳しく言えば、複数段の回転巻上羽根（２１，２１０，３１，３１０）において、上下に並ぶそれぞれの各基羽根（２２，２２０，３２，３２０）を、下方の基羽根（２２，２２０，３２，３２０）の他端部に対して、回転方向と逆方向の間近に位置する上方の基羽根（２２０，３２０）の一端部が、平面視で重ならずに前記逆方向に離隔し、前記下方の基羽根（２２，２２０，３２，３２０）の他端部における平坦面（２３，２３０，３３，３３０）を延長した傾斜面より下方に位置するように配置して、前記多重螺旋階段状に並ぶようにする。これにより、下の段の基羽根（２２，２２０，３２，３２０）で巻き上げられて斜め上方に移動する被乾燥物を、上の段の基羽根（２２０，３２０）の一端部に確実に受け渡すことができる。
【００３９】
さらに、発明者らは様々な実験を行った結果、被乾燥物を縦方向に効率良く上昇させるため、すなわち巻き上げ力を高めるために重要となるのが、各段の回転巻上羽根（２１，２１０，３１，３１０）における上下間のクリアランスであることを突き止めた。被乾燥物の当初の水分含量や、乾燥が進み水分含量が減少して当初の遠心力や惰力が次第に減少することを考慮し、前記上下間のクリアランスを適宜設定すれば、回転巻上羽根（２１，２１０，３１，３１０）の直径の３〜４倍程度の高さまで被乾燥物を上昇させることができた。
【００４０】
しかしながら、乾燥物を縦方向に上昇させる巻き上げ作用だけを考慮して、乾燥槽内壁（１２）に被乾燥物を薄膜状に押し付ける押し付け作用を考慮しなければ、次のような問題が生じることも判明した。すなわち、被乾燥物を縦方向に高く上昇させることができたとしても、被乾燥物が各段ごとに乾燥槽内壁（１２）に対して均一に薄膜状にならなかったり、また被乾燥物が乾燥途中でダンゴ状になり薄膜状にならなくなったり、さらに被乾燥物の乾燥が進んで水分がなくなると、被乾燥物が乾燥槽内壁（１２）に沿って下方に下がり、乾燥槽内壁（１２）に有効に接触しなくなり、乾燥効率が１／２〜１／３まで低下するという事実が判明した。
【００４１】
以上のような実証を踏まえて発明者らは鋭意検討した結果、最適な押し付け作用と巻き上げ作用を両立させるためには、各段の回転巻上羽根（２１，２１０，３１，３１０）における上下間のクリアランスを最適な値に設定することが重要であり、前記［６］に記載したように、回転巻上羽根（２１，２１０，３１，３１０）の直径の０〜１５％となる比率であることを今回明らかにした。かかる比率の範囲内であれば、最下段の回転巻上羽根（２１，３１）から最上段の回転巻上羽根（２１０，３１０）に亘り、各段ごとに被乾燥物を均一な薄膜状に乾燥槽内壁（１２）に押し付け、しかも、最適な時間を経て順次上昇させることが可能となる。
【００４２】
仮に前記クリアランスが、被乾燥物の種類に応じた最適値よりも小さいと、被乾燥物は上昇しやすくなり過ぎて、乾燥槽内壁（１２）に対して均一な薄膜状に押し付けられる間もなく、各段ごとに被乾燥物の大半が直ぐに巻き上げられてしまう。逆に前記クリアランスが大き過ぎると、各段ごとに上方へと被乾燥物がうまく受け渡されず、上昇が途中で止まってしまう。また、前記クリアランスが中途半端な値であると、やはり乾燥槽（１１，１１Ａ，１１Ｂ）全体を有効に活用することができない。
【００４３】
また、前記［７］に記載の乾燥装置（１０）によれば、最上段の回転巻上羽根（２１０）より上方に向かう薄膜状の被乾燥物は、乾燥槽（１１）内壁（１２）に設けられた受止板（３０）によって受け止められるので、そのまま上昇することなく回転巻上羽根（２１０）の内側より下方へ落下する。これにより、被乾燥物は再び最下段の回転巻上羽根（２１）より乾燥工程が繰り返されるため、よりいっそう乾燥効率を高めることができる。
【発明の効果】
【００４４】
本発明に係る乾燥装置によれば、乾燥槽内壁の伝熱面の加熱に加えて乾燥槽内に熱風を導入することにより、回転巻上羽根が多段であるか否かを問わず、よりいっそう乾燥効率を格段に高めることができる。
【００４５】
また、回転巻上羽根を上下に並ぶ複数段にした場合に、各段間における基羽根の相対的な配置を工夫することにより、各段間において被乾燥物を円滑に順次上昇させることができ、縦型の利点を生かした非常に高い乾燥効率を確実に実現することができる。
【００４６】
さらに、種々様々な被乾燥物に応じて各段の間隔（クリアランス）を定める際、常に最適な寸法を容易に導くことが可能となり、縦型の利点を生かした非常に高い乾燥効率を確実に実現することができる。
【図面の簡単な説明】
【００４７】
【図１】本発明の第１実施の形態に係る乾燥装置の内部構造を示す縦断面図である。
【図２】本発明の第１実施の形態に係る乾燥装置が備える最下段の回転巻上羽根を示す平面図である。
【図３】本発明の第１実施の形態に係る乾燥装置が備える最下段の回転巻上羽根を示す側面図である。
【図４】図２のIV−IV線断面図である。
【図５】本発明の第１実施の形態に係る乾燥装置が備える最下段以外の他の段の回転巻上羽根を構成する基羽根を示す平面図である。
【図６】本発明の第１実施の形態に係る乾燥装置が備える最下段以外の他の段の回転巻上羽根を構成する基羽根を示す側面図である。
【図７】本発明の第１実施の形態に係る乾燥装置を示す部分断面斜視図である。
【図８】本発明の第１実施の形態に係る乾燥装置が備える各段ごとの回転巻上羽根を構成する基羽根の配置の一部を示す展開図である。
【図９】本発明の第１実施の形態に係る乾燥装置の使用時の作用を示す説明図である。
【図１０】本発明の第１実施の形態に係る乾燥装置の使用時の被乾燥物の様子を示す説明図である。
【図１１】本発明の第２実施の形態に係る乾燥装置の内部構造を示す縦断面図である。
【図１２】本発明の第３実施の形態に係る乾燥装置の内部構造を示す縦断面図である。
【図１３】本発明の第３実施の形態に係る乾燥装置が備える最下段の回転巻上羽根を示す平面図である。
【図１４】本発明の第３実施の形態に係る乾燥装置が備える最下段の回転巻上羽根を示す側面図である。
【図１５】本発明の第３実施の形態に係る乾燥装置が備える最下段以外の他の段の回転巻上羽根を構成する基羽根を示す平面図である。
【図１６】本発明の第３実施の形態に係る乾燥装置が備える最下段以外の他の段の回転巻上羽根を構成する基羽根を示す側面図である。
【図１７】本発明の第３実施の形態に係る乾燥装置を示す部分断面斜視図である。
【図１８】本発明の第３実施の形態に係る乾燥装置が備える各段ごとの回転巻上羽根を構成する基羽根の配置の一部を示す展開図である。
【発明を実施するための形態】
【００４８】
以下、図面に基づき、本発明を代表する各種実施の形態を説明する。
図１〜図１０は、本発明の第１実施の形態を示している。
図１に示すように、乾燥装置１０の主要部を成す乾燥槽１１は、縦型の円筒形状に構成されている。この乾燥槽１１の内部に投入する被乾燥物は、生ゴミ、残飯、食品残滓、汚泥、スラッジ、家畜糞尿等と多岐に渡り、その形態も、粒状、粉末状、液状、塊状等、種々様々で、水分含量も多様である。本乾燥装置１０は、何れの種類の被乾燥物にも対応可能である。
【００４９】
乾燥槽１１の円筒状の内壁は、加熱手段からの熱を被乾燥物に伝える伝熱面１２となっている。加熱手段としては、例えば、乾燥槽１１の外周を囲むように形成したジャケット１３と、このジャケット１３に連結され、ジャケット１３内に蒸気を送り込むボイラー（図示省略）とを備えて成る。ジャケット１３には、蒸気をジャケット１３内に導く蒸気流入部１３ａと、蒸気をジャケット１３外に排出する蒸気排出部１３ｂが設けられている。
【００５０】
前記加熱手段の他の例として、蒸気の代わりに熱風をジャケット１３内に送り込むように構成したり、あるいは、ジャケット１３内に収容した熱媒体と、ジャケット１３の外周に配設した電気ヒーターとから構成しても良い。すなわち、電気ヒーターからの熱を熱媒体を介して伝熱面１２に伝えるものである。さらに構成を簡略化して、ジャケット１３の外周に配設した電気ヒーターの熱を伝熱面１２に直接伝えるようにしても良い。このように前記加熱手段には種々の種類が考えられる。
【００５１】
ただし、前記ジャケット１３等を含めた加熱手段は、必須の構成ではなく乾燥槽１１から省いて構成してもかまわない。あるいはジャケット１３を備えた乾燥槽１１であっても、伝熱面１２を敢えて加熱しないように使用することも想定している。なお、以下に説明する各実施の形態では、ジャケット１３等を含めた加熱手段を備える場合を例として説明する。
【００５２】
乾燥槽１１の内部に被乾燥物を供給したり外部に排出する構成も様々であり、例えば、乾燥槽１１の上蓋１４の一部に開閉可能な供給口（図示省略）を設けて、この供給口より被乾燥物を内部に投入すると良い。一方、伝熱面１２の底板１５付近に開閉可能な排出口（図示省略）を設けて、この排出口より乾燥済みの被乾燥物を外部に排出すると良い。かかる構成によれば、全ての工程が終了するまで、途中で被乾燥物の供給ないし排出を行わないバッチ式の処理を行うものとなる。
【００５３】
あるいは、図１１に示した、後述する第２実施の形態に係る乾燥装置１０Ａのように、乾燥槽１１の底板１５付近に供給管１６を接続して、被乾燥物を供給スクリュー１６ａにより乾燥槽１１内の底部に供給しても良い。一方、伝熱面１２の上蓋１４付近に排出管１７を接続して、乾燥済みの被乾燥物を排出スクリュー１７ａによって外部に排出する。かかる構成によれば、連続的に被乾燥物を供給しながら後述する乾燥工程を実行し、乾燥済みの被乾燥物を連続的に排出する連続式の処理も可能となる。
【００５４】
乾燥槽１１内の中心部には、縦方向（鉛直方向）に延びる回転軸２０が配設されている。この回転軸２０は、乾燥槽１１の上蓋１４と底板１５の中心を通るように軸支されている。回転軸２０の途中には、回転巻上羽根２１，２１０が上下に並んで複数段となるように取り付けられている。回転軸２０の上端部は、乾燥槽１１の上蓋１４の上方に配設された電動モータ１８に動力伝達可能に連結されており、電動モータ１８の駆動により回転軸２０は回転駆動し、複数段の回転巻上羽根２１，２１０は同期して回転する。なお、回転軸２０の下端部は、乾燥槽１１の底板１５の外側に突出しており、その周囲には後述する熱風導入部１９が設けられている。
【００５５】
前記回転巻上羽根２１，２１０は、それぞれ回転軸２０を中心に円周方向に並ぶように配された複数の基羽根２２，２２０から成り、本実施の形態では何れも３枚の基羽根２２，２２０を備えて成る。複数段の回転巻上羽根２１，２１０のうち、最下段の回転巻上羽根２１と、他の段の回転巻上羽根２１０とでは、それぞれ基羽根２２，２２０の長さが異なる。すなわち、最下段の回転巻上羽根２１の基羽根２２は、他の段の回転巻上羽根２１０の基羽根２２０よりも長く形成されている。以下、主に回転巻上羽根２１を代表して、その構成を詳しく説明する。
【００５６】
図２〜図４に示すように、最下段の回転巻上羽根２１を構成する各基羽根２２は、それぞれ同一形状であり、平面視でそれぞれが円周方向に延び、被乾燥物を一端部２２ａから載せて他端部２２ｂに移動させつつ巻き上げ可能な平坦面２３を有している。この平坦面２３は、回転方向Ｒと逆方向に向かって、一端部２２ａから他端部２２ｂにかけて斜め上方に延びるように形成されている。すなわち、各基羽根２２は、被乾燥物を平坦面２３上に載せて巻き上げつつ、遠心力（図１０参照）によって前記伝熱面１２に押し付けるように構成されている。
【００５７】
より詳しくは、各基羽根２２の平坦面２３は、平面視で３６０度の円周範囲内の長さで一定幅に延び、前記平坦面２３の外周端は、前記伝熱面１２の円筒形状に沿った弧状に形成されている。この平坦面２３の外周端と前記伝熱面１２との間には、各基羽根２２の回転を許容するクリアランスＵ（図１０参照）が形成されている。なお、クリアランスＵは、基羽根２２の一端部２２ａから他端部２２ｂにかけて一定である必要はなく、例えば、基羽根２２の回転方向Ｒと逆方向に向かって次第に広くなるように設定しても良い。
【００５８】
また、最下段の回転巻上羽根２１に限っては、それぞれ基羽根２２の他端部２２ｂが、回転方向Ｒと逆方向に隣り合う他の基羽根２２の一端部２２ａよりも高く位置し平面視で重なるように構成されている。すなわち、各基羽根２２の長さは、平面視で３６０度を略３等分した略１２０度の角度範囲に渡る長さとなる。一方、最下段以外の他の段の回転巻上羽根２１０における各基羽根２２０の構成は、基本的には前記各基羽根２２と共通するが、基羽根２２０の長さは、前記基羽根２２の長さよりも短く設定されている。
【００５９】
他の段の回転巻上羽根２１０に関して、各基羽根２２０の平坦面２３０は、平面視で３６０度の円周範囲内の長さで細幅形状に延び、かつ平面視で同一円周上に並ぶ隣り合う基羽根２２０同士の平坦面２３０が一端部２２０ａから他端部２２０ｂにかけて円周方向に互いに重ならない長さに設定されている。本実施の形態では、何れの基羽根２２０も、平面視で略６０度の角度範囲に渡る長さであり、前記基羽根２２の長さの２／３程度である。なお、前記基羽根２２，２２０の数は、前述したように３枚に限られるものではなく、２枚あるいは４枚以上で構成しても良い。各基羽根２２，２２０の具体的な長さや横幅の寸法も、適宜定め得る設計事項である。
【００６０】
また、図２に示すように、最下段の回転巻上羽根２１の各基羽根２２は、前記回転軸２０に放射状に固定された取付アーム２４の先端に一端部２２ａが連結されている。ここで取付アーム２４は、各基羽根２２の数に合わせて３本設けられており、それぞれ前記回転軸２０の軸方向と直交する平面上に展開するように配され、それぞれが対応する前記基羽根２２を支持している。
【００６１】
本実施の形態では、基羽根２２と取付アーム２４とは一体成形されたものであり、一枚の金属板を裁断して曲げ加工することにより構成されている。すなわち、取付アーム２４は、基羽根２２と同様に一定幅に延びた板状であり、前記回転軸２０より半径方向に直線状に延びる部材である。この取付アーム２４の先端側に、基羽根２２の一端部２２ａが一体的に連続している。
【００６２】
より詳しくは、取付アーム２４は、その幅方向において前記基羽根２２の平坦面２３の傾斜に合わせて斜めに傾くように曲げられており、図４に示すように、乾燥槽１１の底板１５に対して所定角度で傾斜している。これにより、取付アーム２４は、底板１５上に溜まる被乾燥物を積極的に掻き取る作用を果たす。また、取付アーム２４において、回転方向Ｒに向いている側縁２４ａはテーパー縁として形成され、前記底板１５に対向するように配されている。
【００６３】
また、図５、図６に示すように、最下段以外の他の段の回転巻上羽根２１０の各基羽根２２０は、小円板部２４０ａの外周から放射状に延びた取付アーム２４０の先端に連結されている。小円板部２４０ａには、前記回転軸２０が通され、回転軸２０に固定するための円形貫通孔が形成されている。取付アーム２４０は、前記取付アーム２４の場合と同様に、各基羽根２２０の数に合わせて３本設けられており、それぞれ前記回転軸２０の軸方向と直交する平面上に展開するように配され、それぞれの先端が前記基羽根２２０の一端部２２０ａに一体に連結している。
【００６４】
ここで取付アーム２４０も、前記基羽根２２０と一体成形されたものであり、一枚の金属板を裁断して曲げ加工することにより構成されている。ただし、前記取付アーム２４とは異なり、図６に示すように、特に幅方向における傾斜は設けられていない。すなわち、取付アーム２４０は、それぞれ前記回転軸２０の軸方向と直交する平面上に全て平行に沿うように配されている。よって、最下段以外の他の段の回転巻上羽根２１０における取付アーム２４０は、特に被乾燥物を積極的に掻き取る作用を果たすものではない。
【００６５】
また、図示省略したが、前記各基羽根２２，２２０の他端部２２ｂ，２２０ｂに関しても、前記回転軸２０に放射状に固定された支持アームの先端に連結すると良い。ここで支持アームは、特に前記取付アーム２４のような掻き取る作用を果たす必要はなく、単に支持して補強できる構造であれば何でも良いが、被乾燥物の巻き上げ作用に干渉しないように、細棒等のようになるべく小さく構成すると良い。
【００６６】
図１に示すように、複数段の回転巻上羽根２１，２１０は、前述した最下段の回転巻上羽根２１が回転軸２０の下部に配設され、その上方に他の回転巻上羽根２１０が等間隔で４段に並ぶように配設され、多段構成とされている。本実施の形態では、回転巻上羽根２１０を４段に設けたが、この回転巻上羽根２１０は、乾燥槽１１の高さや寸法に応じて、２段、３段、もしくは５段以上、あるいは１段だけとして配設することもできる。
【００６７】
このような回転巻上羽根２１，２１０は、前記回転軸２０の回転に伴って被乾燥物を、各基羽根２２，２２０の平坦面２３，２３０上に載せて一端部２２ａ，２２０ａから他端部２２ｂ，２２０ｂへと巻き上げつつ、遠心力により前記伝熱面１２に薄膜状に押し付け、かつ該伝熱面１２に沿って連続して上昇させることにより、乾燥工程が実行されるように構成されている。
【００６８】
このような乾燥工程においては、乾燥槽１１内に外部から熱風を導入して、該熱風を被乾燥物の薄膜状の内周側（図１０中の蒸発面Ｅ）に吹き付けることにより、該内周側より被乾燥物を加熱して水分蒸発を推進させるように構成されている。被乾燥物は伝熱面１２に沿って薄膜状に拡がるが、被乾燥物が空気に接する内周側より熱風があたり積極的に加熱されるため、加熱効率を高めることができる。ここで熱風は、外部に設けられたボイラー等から供給されて乾燥槽１１内に導入される。
【００６９】
図１に示すように、乾燥槽１１の底部には熱風導入部１９が設けられている。熱風導入部１９は、例えば図示したように回転軸２０の下部を囲むように底板１５の中心側に設けられている。かかる場合、底板１５の中心側が一部開口するが、例えばその上方に回転軸２０を中心として側方に拡がるカバーを設けることで、乾燥槽１１内に投入された被乾燥物が開口より落下することを防止すると共に、乾燥槽１１の底部にて熱風を中心側より側方に向かわせることができる。
【００７０】
このように乾燥槽１１の底部において中心側より側方に向けて吹き出された熱風は、回転巻上羽根２１，２１０の回転より生じる気流と遠心力により渦巻き状になって上昇しつつ、被乾燥物の薄膜状の内周側に吹き付けられる。なお、前記カバーは図示省略したが、具体的には例えば回転軸２０より円盤状に拡がり、その下方にて熱風導入部１９が底板１５に連通する開口を上から覆い得る直径に設定すると良い。
【００７１】
熱風導入部１９は、前記ボイラー等に連通管（図示省略）を介して接続され、ボイラー等で生成された熱風は熱風導入部１９を通じて乾燥槽１１内に導入されるように構成される。かかる熱風導入部１９は、何れの構成であるにせよ乾燥槽１１の底部付近に設けて、熱風を中心側より側方に向けて吹き出すように構成すると良い。なお、熱風導入部１９が連通する開口において、乾燥槽１１内の被乾燥物が入り込まないようにするための様々な工夫は周知の設計事項であり、詳しい説明は省略する。
【００７２】
別の熱風導入部の構成としては、他に例えば、乾燥槽１１の側壁である伝熱面１２の下端側より内部に熱風を導入するように構成しても良い。かかる構成の場合には、伝熱面１２の下端側より回転方向に向けて開口し、回転巻上羽根２１の回転より生じる気流と同一方向に熱風を吹き出すように開口すると良い。ここで開口を任意に開閉できるようにして風量を調整可能に構成すると良い。前記熱風導入部１９においても同様に風量を調整可能に構成しても良い。このように熱風導入部の具体的な形状や配置は適宜定め得る設計事項であり、１つに限らず複数設けても良い。
【００７３】
また、乾燥槽１１には、乾燥工程で生じる廃ガスを外部に排出する廃ガス排出部（図示省略）が設けられている。廃ガス排出部は、上蓋１４に設けても良く、あるいは伝熱面１２の上端側に設けても良い。何れにせよ廃ガス排出部は乾燥槽１１の上部に設けると良い。前記熱風導入部１９から乾燥槽１１内に導入された熱風は、乾燥工程で生じる廃ガスと共に廃ガス排出部から排出されることになる。ここで廃ガス排出部も、任意に開閉できるようにして排出量を調整可能に構成すると良い。
【００７４】
さらに、乾燥装置１０には、前記廃ガス排出部から排出された廃ガスを導いて燃焼させ無害化する燃焼炉（図示省略）が併設されている。燃焼炉と前記廃ガス排出部とは、連通管（図示省略）を介して接続され、乾燥槽１１で発生した廃ガス（外部から導入された熱風を含む）を燃焼炉へと送り込むことができるようになっている。燃焼炉は、廃ガスに含まれる有害物質を熱分解して無害化すると共に脱臭し、生じた熱風を無害な状態で放出するものである。なお、前記廃ガスは比較的多くのカロリ−を保有しているので、燃焼炉の燃料は比較的少量で済み、燃焼炉を低燃費燃焼炉とすることができる。
【００７５】
この燃焼炉から生じた熱風を、前記ジャケット１３内に送り込むように構成して、伝熱面１２の加熱手段として利用しても良い。さらに、燃焼炉から生じた熱風を、加熱手段として利用すると共に、前記乾燥工程中の乾燥槽１１内に導入するように構成しても良い。すなわち、燃焼炉から生じた熱風を導く熱風排出管を分岐させて、一方を前記蒸気流入部１３ａに接続すると共に、他方を前記熱風導入部１９に接続して、それぞれに熱風を供給できるようにする。
【００７６】
前記乾燥工程において、乾燥槽１１内に外部から熱風を導入するが、これに加えて、前記伝熱面１２を加熱しても良い。このように、乾燥槽１１内への熱風の導入と伝熱面１２の加熱を同時に行う場合には、前記伝熱面１２で加熱されて含水率の低くなった被乾燥物が薄膜状の内周側の蒸発面Ｅ（図１０参照）に移動しつつ水分蒸発が推進される過程で、乾燥槽１１内に外部から熱風を導入して蒸発面Ｅに吹き付けることにより、蒸発面Ｅにおける水分蒸発が促進されるようになっている。
【００７７】
また、前記回転巻上羽根２１，２１０を２段以上設けた場合に重要となるのは、各段間における基羽根２２，２２０の相対的な配置である。かかる配置については、発明者らの鋭意検討の結果、次のような特別な配置に設定することによって、非常に高い乾燥効率を実現することができる。すなわち、図７に示すように、複数段の回転巻上羽根２１，２１０は、前記回転軸２０に沿って並ぶ上下間において、それぞれの各基羽根２２，２２０が平面視で所定角度ずつ位相がずれ、回転方向Ｒと逆方向に延びる多重螺旋階段状に並ぶように配設されている。
【００７８】
より詳しくは、図８に示すように、最下段の回転巻上羽根２１の基羽根２２と、その一段上、すなわち下から２段目の回転巻上羽根２１０の基羽根２２０との位相は、下方の基羽根２２の他端部２２ｂに対して、回転方向と逆方向の間近に位置する上方の基羽根２２０の一端部２２０ａが、平面視で重ならずに前記逆方向に離隔し、下方の基羽根２２の他端部２２ｂにおける平坦面２３を延長した傾斜面より下方に位置するように設定されている。
【００７９】
さらに、２段目以降の回転巻上羽根２１０は、それぞれ基羽根２２０が同一形状であり、上下に並ぶ各基羽根２２０は前記同様に、下方の基羽根２２０の他端部２２０ｂに対して、回転方向Ｒと逆方向の間近に位置する上方の基羽根２２０の一端部２２０ａが、平面視で重ならずに前記逆方向に所定角度（図９中の距離Ｂ）分だけ離隔し、下方の基羽根２２０の他端部２２０ｂにおける平坦面２３０を延長した傾斜面より下方に位置するように設定されている。
【００８０】
このような配置により、図９に示すように、前述した上下間のクリアランスＦにおいて、下の段の基羽根２２０で巻き上げられて斜め上方に移動する被乾燥物が、上の段の回転している基羽根２２０の下面で押さえられることがなく、上の段の基羽根２２０の一端部２２０ａにタイミング良くすくい上げられるようにして、被乾燥物は各基羽根２２，２２０の多重螺旋階段を上るように順次移動する。また、２段目以降の回転巻上羽根２１０の回転により、被乾燥物に上昇力と遠心力を補充することができるようになっている。
【００８１】
さらにまた、前記各段間における特別な配置と並んで重要となるのが、各段の上下間におけるクリアランスＦである。このクリアランスＦについても、発明者らの鋭意検討の結果、回転巻上羽根２１，２１０の各基羽根２２，２２０の他端部２２ｂ，２２０ｂ最上端からその一段上の回転巻上羽根２１０の各基羽根２２０の一端部２２０ａ最下端までの寸法が、各基羽根２２，２２０の平坦面２３，２３０の最外周端を結ぶ円直径（以下、単に直径とする）の０〜１５％となる比率に定められている。さらには、０〜９％となる比率に定めれば、よりいっそう優良な効果を期待することができることも確かめられている。
【００８２】
ここで各段の上下間におけるクリアランスＦは、前記各基羽根２２，２２０の直径の０〜１５％となる比率の範囲内であれば、一律に同じ値である必要はない。例えば、図１に示したように、最下段の回転巻上羽根２１とその直ぐ上の２段目の回転巻上羽根２１０との間のクリアランスＦを、２段目よりも上方の各回転巻上羽根２１０間のクリアランスＦより小さく設定しても良い。なお、最下段の基羽根２２の直径と，それ以外の基羽根２２０の直径とは、前記伝熱面１２との間のクリアランスＵ（図１０参照）を考慮して同一である。
【００８３】
前記上下間のクリアランスＦの具体的な値としては、例えば、前記直径が２０００ｍｍである場合には、０〜３００ｍｍの範囲内で設定することになる。ここで前記直径は、乾燥槽１１の具体的な内径寸法に応じて様々であり、この乾燥槽１１の内径寸法に応じて、前記直径、そして上下間のクリアランスＦが具体的に設定される。また、前記０〜３００ｍｍの範囲内にて何れのクリアランスに設定するかは、被乾燥物の種類に応じて適宜定めることになる。
【００８４】
例えば、被乾燥物が下水処理場の脱水汚泥の場合、含水率は８０〜８５％であり、被乾燥物の水分蒸発が進み６５〜７０％の含水率になると、粘性が著しく大きくなり一部が塊状になる。このような特性に応じて、前記上下間のクリアランスＦは、前記０〜３００ｍｍの範囲内のうち特に１００〜１８０ｍｍの範囲内で定めれば、安定した高い乾燥効率を実現することができる。かかる数値は、乾燥槽１１の内径寸法に応じて変動するものであり、例えば、前記直径が１０００ｍｍである場合には、上下間のクリアランスＦは５０〜９０ｍｍの範囲で適宜定めることになる。
【００８５】
あるいは、被乾燥物が下水汚泥で未脱水汚泥の場合、含水率が９５〜９８％であり、液状の状態であるため、前述のように水分蒸発が進んで６５〜７０％になっても、固形物の容量は極端に少ない。このような特性に応じて、上下間のクリアランスＦを、前記０〜３００ｍｍの範囲内のうちさらに狭い３０〜１２０ｍｍの範囲内で定めれば、粘性が高くてもジャケット１３への接触効率を高めることができる。また、前記直径が１０００ｍｍである場合には、上下間のクリアランスＦは１５〜６０ｍｍの範囲で適宜定めることになる。その他の被乾燥物に応じた上下間のクリアランスＦは後述するが、何れも前記直径の０〜１５％となる比率の範囲内で具体的に定めることになる。
【００８６】
このような比率の範囲内に上下間のクリアランスＦを定めることで、最下段の回転巻上羽根２１から最上段の回転巻上羽根２１０に亘り、各段ごとに被乾燥物をジャケット１３に均一な薄膜状に伝熱面１２に押し付け、しかも、最適な時間を経て順次上昇させることが可能となる。
【００８７】
上下間のクリアランスＦが直径の０％未満、すなわち上下の各基羽根２２，２２０が一部でも上下方向に重なり合う場合には、余計な乱気流が生じて干渉し合い、巻き上げ作用が減殺される。一方、上下間のクリアランスＦが直径の１５％より大きくなると、被乾燥物の種類を問わず、各段ごとに上方へと被乾燥物がうまく受け渡されず、上昇が途中で止まってしまうことが、発明者らの数多の実験により確かめられている。なお、上下間のクリアランスＦの下限は、前述したが前記直径の０％以上の数値にて、実際の被乾燥物の種類に応じた最適値があることも確かめられている。
【００８８】
また、本実施の形態では、最上段の回転巻上羽根２１０の上方に、前記乾燥槽１１内壁に設けられ、前記最上段の回転巻上羽根２１０より上方に向かう前記伝熱面１２に薄膜状に押し付けられた被乾燥物を受け止めて、回転巻上羽根２１０の内側より下方へ落下させる受止板３０が配されている。受止板３０は、その面が回転巻上羽根２１０の回転方向と対向するように配される板状の部材から成り、円周方向に並ぶように配されている。
【００８９】
図１に示すように、受止板３０は、上下に細幅状に延びる面を備えた板状の部材からなり、軸心方向には余り突出しないように構成されている。このような受止板３０は、前記伝熱面１２の上下に亘る広い範囲で薄膜状の被乾燥物を受け止められる一方、乾燥槽１１内部における各回転巻上羽根２１，２１０の回転により生じる気流に極力干渉しない形状となっている。
【００９０】
受止板３０の面が回転巻上羽根２１０の回転方向と対向する角度は、詳しく言えば直角ではなく、薄膜状の被乾燥物に対して斜めにぶつかり、被乾燥物を軸心に向けて逃がすことができる角度に傾斜している。本実施の形態では、受止板３０は具体的には３枚が円周方向に等間隔に配されているが、この受止板３０の具体的な形状や配置は適宜定め得る設計事項であり、少なくとも２以上設けると良く、乾燥槽１１の内径寸法に応じて、例えば、内径が大きくなるに従い数を増やすことになる。また、必ずしも各受止板３０を等間隔に並べる必要はない。
【００９１】
次に、第１実施の形態に係る乾燥装置１０の作用について説明する。
乾燥槽１１の上蓋１４にある供給口より乾燥槽１１内に被乾燥物を投入する。そして、電動モータ１８を駆動し回転軸２０をＲ方向へ回転させると、上下段の各回転巻上羽根２１，２１０が一斉に回転する。すると、各回転巻上羽根２１，２１０の基羽根２２，２２０ごとに、それぞれ被乾燥物が一端部２２ａ，２２０ａから平坦面２３，２３０上に載り、他端部２２ｂ，２２０ｂ側へ移動していく。
【００９２】
このとき、被乾燥物には上方へ向かわせる力が働き、被乾燥物は巻き上げられると共に、遠心力によって伝熱面１２に押し付けられる（図９，図１０参照）。かかる巻き上げ作用と押し付け作用を与える各基羽根２２，２２０の平坦面２３，２３０は、伝熱面１２に沿って細長形状に延び、かつ外周端が伝熱面１２との間にクリアランスＵを保つ弧状である。従って、被乾燥物に単に衝撃を与えるのではなく、被乾燥物への巻き上げ作用と、伝熱面１２への押し付け作用が効果的に発揮される。
【００９３】
一つの連続した羽根によって被乾燥物が乾燥槽１１内を上昇移動するわけではなく、各基羽根２２，２２０ごとに順次、被乾燥物は巻き上げられ、かつ伝熱面１２へ押し付けられる。このため、粘性の強い被乾燥物等であっても、伝熱面１２に付着することがなく、伝熱面１２上の特定箇所に被乾燥物が滞留することもない。また、各基羽根２２，２２０は、平面視で３６０度の円周範囲内の長さしか有さず独立しているので、各基羽根２２，２２０の平坦面２３，２３０の外周端と伝熱面１２との間の前記クリアランスＵも一続きに連続していないから、被乾燥物中の異物がクリアランスＵに噛み込んだとしても、直ちに逃げて噛み込みは継続しない。
【００９４】
特に、最下段の回転巻上羽根２１における各基羽根２２は、他の段の各基羽根２２０に比べて長い寸法であるため、最初は乾燥槽１１の底部に多く溜まる被乾燥物に対して、いっそう大きな巻き上げ力を付与することができる。よって、乾燥槽１１の底部から上方の各段に向けて被乾燥物を円滑に移動させることが可能となる。しかも、最下段の各基羽根２２を支える取付アーム２４は、図４に示すように底板１５に対して傾斜しているから、底板１５上に溜まる被乾燥物は、基羽根２２のみならず取付アーム２４によっても積極的にすくい上げることができる。これにより、より早期に被乾燥物を伝熱面１２に接触させることができる。
【００９５】
さらに、回転巻上羽根２１，２１０が上下に複数段あることにより、各段ごとに被乾燥物を巻き上げつつ、薄膜状に伝熱面１２に押し付け、後から巻き上げる被乾燥物で先に巻き上げた被乾燥物を一段上まで押すように上昇させる。これにより、最下段の回転巻上羽根２１から最上段の回転巻上羽根２１０まで、被乾燥物を連続して乾燥しつつ順次上昇させることができ、乾燥槽１１内壁の縦方向における伝熱面１２全面を有効に活用することになり、縦型の利点を生かした非常に高い乾燥効率を確実に実現することができる。
【００９６】
図１０に示すように、各段ごとに伝熱面１２に薄膜状に押し付けられた被乾燥物は、伝熱面１２に接触する面を有すると共に、薄膜状の内周側となり乾燥槽１１内の空気と接触する蒸発面Ｅを有する。このような過程において、乾燥槽１１内に前記熱風導入部１９から熱風を導入して、該熱風を被乾燥物の薄膜状の内周側に吹き付ける。これにより、被乾燥物の薄膜状の内周側から加熱することができ、被乾燥物の水分蒸発が推進される。被乾燥物は伝熱面１２に沿って薄膜状に拡がるが、被乾燥物が空気に接する内周側の蒸発面Ｅより熱風があたり積極的に加熱されるため、加熱効率を高めることができる。
【００９７】
ここで乾燥槽１１内に導入される熱風は、熱風導入部１９が乾燥槽１１の底板１５に連通する開口より上方に向かうが、直ぐ上方にある前述の円盤状のカバー（図示省略）に当たって乾燥槽１１の中心側より側方に向かうことになる。このように吹き出された熱風は、回転巻上羽根２１，２１０の回転より生じる気流と遠心力により渦巻き状になって上昇しつつ、被乾燥物の薄膜状の内周側に吹き付けられる。これにより、乾燥槽１１内部の気流と熱風とが衝突し合うことがなく、被乾燥物の巻き上げ作用を損ねる虞はなく、よりいっそう巻き上げ作用を向上させることができる。
【００９８】
また、同時にボイラーからジャケット１３内に蒸気を導入して、伝熱面１２を加熱すると良い。かかる場合、伝熱面１２に接触した被乾燥物は、伝熱面１２からの熱により、薄膜状に拡がる外周側でもある程度の水分蒸発が起こる。加熱された伝熱面１２への接触により水分蒸発し含水率が低くなった被乾燥物は、さらに前記蒸発面Ｅに移動しつつ空気に晒されるため、さらに水分蒸発が進むことになる。しかも、前述したように、前記蒸発面Ｅには熱風が吹き付けられるため、蒸発面Ｅにおける水分蒸発がよりいっそう促進されることになる。
【００９９】
すなわち、各基羽根２２，２２０の平坦面２３，２３０上にて被乾燥物は、上方に向かって徐々に伝熱面１２と蒸発面Ｅが近くなるような薄膜状に拡がるが、ここで被乾燥物は、前述したように熱風により加熱されるのみならず、加熱手段で加熱された伝熱面１２によっても積極的に加熱されるため、加熱効率が格段に高まることになる。なお、伝熱面１２は必ずしも加熱する必要はなく、被乾燥物の具体的な種類や量に応じて加熱するかどうかを適宜定めると良い。
【０１００】
また、熱風の発生源は特に問わないが、前述したように乾燥装置１０が廃ガスを燃焼させて無害化する燃焼炉を備える場合には、この燃焼炉における燃焼で生じた熱風を、前記伝熱面１２の加熱手段として利用すると共に、乾燥工程中の乾燥槽１１内に導入すれば良い。これにより、前記伝熱面１２の加熱手段を別途用意する必要がなく、さらには、乾燥槽１１内に導く熱風の発生源としても利用することができ、ランニングコストを低減することが可能となる。
【０１０１】
前述したように被乾燥物は、伝熱面１２側から蒸発面Ｅへ移動すると同時に、各基羽根２２，２２０による巻き上げ作用により、後から巻き上げる被乾燥物が先に巻き上げた被乾燥物を断続的に押し、被乾燥物は伝熱面１２に沿って上昇していく。つまり、被乾燥物は、伝熱面１２から蒸発面Ｅへ移動しつつ、伝熱面１２に沿って巻き上がり、上昇しつつ乾燥する。このような乾燥工程が各段ごとに順次繰り返されることになる。
【０１０２】
ここで重要となるのが、前述したように各段の回転巻上羽根２１，２１０における上下間の基羽根２２，２２０の相対的な配置である。かかる配置は前述した図７および図８に示すように、上下間における各基羽根２２，２２０が平面視で所定角度ずつ位相がずれて、回転方向Ｒと逆方向に延びる多重（本実施の形態では３重）の螺旋階段状に並ぶように配設されている。
【０１０３】
このような特別な配置によって、先ずは最下段の基羽根２２と取付アーム２４により乾燥槽１１の底部よりすくい上げられた被乾燥物は、遠心力で伝熱面１２に薄膜状に押し付けられつつ、直ぐ上の２段目の基羽根２２０の一端部２２０ａにすくい上げられる。さらに、２段目の基羽根２２０により巻き上げられた被乾燥物は、同様に伝熱面１２に薄膜状に押し付けられつつ、直ぐ上の３段目の基羽根２２０の一端部２２０ａにすくい上げられる。
【０１０４】
すなわち、乾燥槽１１内に投入された被乾燥物は、最下段の回転巻上羽根２１から最上段の回転巻上羽根２１０に向かって、それぞれの基羽根２２，２２０が断続的に連なる多重螺旋階段を上るようにして順次移動しつつ乾燥される。また、２段目以降の回転巻上羽根２１０の回転により、被乾燥物に上昇力と遠心力を補充することができる。このように、乾燥槽１１内壁の縦方向における伝熱面１２全面を有効に活用することが可能となり、縦型の利点を生かした非常に高い乾燥効率を確実に実現することができる。
【０１０５】
最下段の回転巻上羽根２１の各基羽根２２は、他の段の回転巻上羽根２１０の各基羽根２２０に比べて長く形成され、この最下段の各基羽根２２は、それぞれの他端部２２ｂが、回転方向と逆方向に隣り合う他の基羽根２２の一端部２２ａよりも高い位置で平面視で重なるように配置されている。これにより、最初は乾燥槽１１の底部に多く溜まる被乾燥物に対して、より大きな巻き上げ力を付与することができ、乾燥槽１１の底部から上方への各段に向けて被乾燥物を円滑に移動させることが可能となる。また、本実施の形態では、取付アーム２４が、底板１５上に溜まる被乾燥物を積極的に掻き取る作用も果たしている。
【０１０６】
図９に示すように、上下に並ぶ各基羽根２２０は、下方の基羽根２２０の他端部２２０ｂに対して、回転方向と逆方向の間近に位置する上方の基羽根２２０の一端部２２０ａが、平面視で重ならずに前記逆方向に離隔し、前記下方の基羽根２２０の他端部２２０ｂにおける平坦面２３０を延長した傾斜面より下方に位置するように配置されている。これにより、下の段の基羽根２２０で巻き上げられて伝熱面１２に沿って斜め上方に移動する被乾燥物を、上の段の基羽根２２０の一端部２２０ａに確実に受け渡すことができる。
【０１０７】
このような特別な配置により、上下に並ぶ回転巻上羽根２１０の基羽根２２０の位置を、単に回転方向に一定の角度ずらして配置することで、ある程度は認められていた効果、すなわち、下の段の基羽根２２，２２０で巻き上げた被乾燥物を上の段の基羽根２２０の一端部でタイミング良くすくい上げるという効果を、よりいっそう確実かつ顕著に発揮することが可能となる。なお、２段目以降の各基羽根２２０は、回転軸２０を中心とする６０度の角度範囲で円弧状に延びる長さであり、隣り合う基羽根２２０同士の平坦面２３０は円周方向に互いに重なることはなく、上下間で所定角度ずつ位相がずれるように容易に配設することができる。
【０１０８】
また、上下間の基羽根２２，２２０の相対的な配置と同様に重要となるのが、各段の回転巻上羽根２１，２１０における上下間のクリアランスＦである。このクリアランスＦの値を、回転巻上羽根２１，２１０の直径の０〜１５％となる比率とすることで、最下段の回転巻上羽根２１から最上段の回転巻上羽根２１０に亘り、各段ごとに被乾燥物を均一な薄膜状に伝熱面１２に押し付け、しかも、最適な時間を経て順次上昇させることが可能となる。このような比率の範囲内で被乾燥物の具体的な種類に応じて、各段の回転巻上羽根２１，２１０における上下間のクリアランスＦの寸法を適宜定めると良い。
【０１０９】
具体的には例えば、生ごみに関しては、調理残漆、期限切れ品の食品等は野菜屑が非常に多く、全体的に繊維質が多いため、粘着性に乏しい。このような特性の被乾燥物を主に扱う乾燥装置１０では、各段の回転巻上羽根２１，２１０における上下間のクリアランスＦの値を、乾燥槽１１の内径寸法に応じて変動するが、この内径寸法に合わせた各基羽根２２，２２０の直径の０〜１５％として、大体２０〜１２０ｍｍに設定する。これにより、乾燥槽１１内壁の縦方向における伝熱面１２全面に対して、被乾燥物である生ごみの乾燥に良好な接触状態を維持することができる。
【０１１０】
また、魚介類のような生物の場合は、乾燥が進むと粘性がなくなり、パサパサした状態となるため、伝熱面１２に対して非常に薄膜になりやすい。このような特性の被乾燥物を主に扱う乾燥装置１０では、各段の回転巻上羽根２１，２１０における上下間のクリアランスＦの値は、乾燥槽１１の内径寸法に応じて変動するが大体５０〜２００ｍｍに設定する。これにより、乾燥槽１１内壁の縦方向における伝熱面１２全面に対して、被乾燥物である生物の乾燥に良好な接触状態を維持することができる。
【０１１１】
また、廃液の場合は、水分量が多く、固形物が非常に少ない。このような特性の被乾燥物を主に扱う乾燥装置１０では、各段の回転巻上羽根２１，２１０における上下間のクリアランスＦの値は、乾燥槽１１の内径寸法に応じて変動するが大体１００〜２５０ｍｍに設定する。これにより、乾燥槽１１の伝熱面１２に沿って被乾燥物を効率良く上昇させることができ、また伝熱面１２全面に対して確実に接触させることができる。
【０１１２】
また、果物の場合は、水分が比較的多く糖分も多いため、水分が蒸発し固形分の比率が多くなるに従い、粘着率が高くなる。このような特性により、縦方向の上部に上昇しやすく下部や中間部に空間ができ、接触が悪く均一に薄膜になり難いが、前記クリアランスＦの値を８０〜１５０ｍｍに設定することにより、乾燥槽１１内壁の縦方向における伝熱面１２全面に対して、被乾燥物を確実に薄膜状に押し付けることができる。
【０１１３】
また、米飯・うどん・そば等のような炭水化物の場合は、含水率が少ないが、加熱することによりモチ状になり粘りが非常に高くなる。このような炭水化物は、従来の乾燥装置での乾燥は不可能とされていたが、本乾燥装置１０によれば、前記クリアランスＦの値を０〜８０ｍｍに設定することにより、乾燥槽１１内壁の縦方向における伝熱面１２全面に対して、被乾燥物である炭水化物の乾燥に良好な接触状態を維持することができる。
【０１１４】
また、イカの内臓は非常に水分が多く、同時に脂分が多く固形分が少なく、蒸発が進んで水分がなくなると、油によりドロドロのスラリーになる。このような特性の被乾燥物を主に扱う乾燥装置１０では、前記クリアランスＦの値を３０〜１５０ｍｍに設定することにより、乾燥槽１１内壁の縦方向における伝熱面１２全面に対して、被乾燥物を確実に薄膜状に押し付けることができ、品質の良い乾燥物を生成することができる。
【０１１５】
また、動物の残澄および弊死獣等のミンチを乾燥する場合、これらは非常に油が多いため、水分を蒸発させると固形分と多くの油の混合物になる。このような特性の被乾燥物を主に扱う乾燥装置１０では、前記クリアランスＦの値を８０〜１８０ｍｍに設定することにより、乾燥槽１１内壁の縦方向における伝熱面１２全面に対して、被乾燥物を乾燥に良好な接触状態に維持することができる。
【０１１６】
さらに、茶粕等の場合は、脱水されているため、水分が少なく粘性が全くないため、前記クリアランスＦの値を０〜６０ｍｍに設定することで、被乾燥物を縦方向に効率良く上昇させることができ、伝熱面１２全面に対して確実に接触させることができる。その他、粉体のように含水率が３０〜５０％と少ない被乾燥物の場合は、粘性が少ないため、前記クリアランスＦの値を０〜３０ｍｍに設定することで、被乾燥物を縦方向に効率良く上昇させることができ、伝熱面１２全面に対して確実に接触させることができる。
【０１１７】
以上のように、種々様々な被乾燥物は、前記クリアランスＦの値がそれぞれ各基羽根２２，２２０の直径の０〜１５％の範囲内に入っていない場合は、縦方向への上昇効率が悪く、伝熱面１２への接触効率も悪くなり、乾燥装置１０の重要な性能の一つである乾燥時間が極端に多くなる。特に、上昇効率が悪いということは、乾燥槽１１内壁の縦方向における伝熱面１２全面を活用するという縦型の利点を生かすことができなくなる。よって、各段の回転巻上羽根２１，２１０における上下間のクリアランスＦの寸法は重要となる。
【０１１８】
また、図１において、最上段の回転巻上羽根２１０より上方に向かう前記伝熱面１２に薄膜状に押し付けられた被乾燥物は、乾燥槽１１内壁に設けられた受止板３０によって受け止められて、そのまま上昇することなく各回転巻上羽根２１０の内側より下方へ落下する。これにより、被乾燥物は再び最下段の回転巻上羽根２１より乾燥工程が繰り返されるため、よりいっそう乾燥効率を高めることができる。
【０１１９】
ここで受止板３０は、図１に示すように、上下に細幅状に延びる面を備えた板状の部材からなるので、伝熱面１２の上下に亘る広い範囲で薄膜状の被乾燥物を受け止めることができる。また、受止板３０は、軸心方向には余り突出しないように構成されているから、乾燥槽１１内部における各回転巻上羽根２１，２１０の回転により生じる気流の流れを損ねることがない。
【０１２０】
さらに、受止板３０の面は、回転巻上羽根２１０の回転方向と対向する角度が直角ではなく、薄膜状の被乾燥物に対して斜めにぶつかる角度であるため、被乾燥物を軸心に向けて逃がすことができ、各回転巻上羽根２１０の内側より下方へ円滑に落下させることができる。なお、乾燥が完了した被乾燥物は、電動モータ１８の駆動を停止した後、乾燥槽１１の底板１５付近にある排出口から外部に取り出すことができる。
【０１２１】
次に、図１１を参照して第２実施の形態を説明する。  
本実施の形態に係る乾燥装置１０Ａでは、回転軸２０の下部に、前記第１実施の形態と同様の構成の最下段の回転巻上羽根２１が設けられていると共に、その上部に、前記第１実施の形態と同様の構成の他の回転巻上羽根２１０が計４段に設けられている。この上下の段数は、乾燥槽１１の高さや寸法に応じて計６段以上としても良く、適宜変更し得る設計事項である。
【０１２２】
各段の回転巻上羽根２１，２１０における上下間のクリアランスＦと、上下間の基羽根２２，２２０の相対的な配置については、前記第１実施の形態と同様であり、重複した説明は省略する。本実施の形態では、乾燥槽１１の底板１５付近の壁面に供給管１６を接続して、被乾燥物を供給スクリュー１６ａにより乾燥槽１１内の底部に供給する一方、伝熱面１２の上蓋１４付近の壁面に排出管１７を接続して、乾燥済みの被乾燥物を排出スクリュー１７ａによって外部に排出するように構成している。
【０１２３】
このような乾燥装置１０Ａにおいては、被乾燥物の供給を区切って、間欠的に乾燥物を得るバッチ式の処理を行うようにしても良いし、被乾燥物を連続的に供給すると共に、乾燥物を連続的に排出する連続式の処理も可能となる。なお、本実施の形態では、連続式の処理を行うことも前提としており、前記受止板３０は省かれている。また、第１実施の形態と同種の部位については、同一符号を付して重複した説明を省略する。
【０１２４】
次に、図１２〜図１８を参照して第３実施の形態を説明する。  
本実施の形態に係る乾燥装置１０Ｂは、図１２に示すように、回転軸２０の下部に、前記第１実施の形態とは異なる構成の最下段の回転巻上羽根３１が設けられ、その上方に、さらに異なる構成の回転巻上羽根３１０が４段に設けられて多段構成とされている。なお、乾燥槽１１、伝熱面１２、ジャケット１３等の他の構成は、前記第１実施の形態と同様であり、第１実施の形態と同種の部位については、同一符号を付して重複した説明を省略する。
【０１２５】
前記回転巻上羽根３１，３１０は、それぞれ回転軸２０を中心に円周方向に並ぶように配された複数の基羽根３２，３２０から成り、本実施の形態では何れも６枚の基羽根３２，３２０を備えて成る。最下段の回転巻上羽根３１と、他の段の回転巻上羽根３１０とでは、それぞれ基羽根３２，３２０の長さが異なる。すなわち、最下段の回転巻上羽根３１の基羽根３２は、他の段の回転巻上羽根３１０の基羽根３２０よりも長く形成されている。
【０１２６】
図１３および図１４に示すように、最下段の回転巻上羽根３１の各基羽根３２は、それぞれ回転軸２０に放射状に固定された計６本の取付アーム３４の先端に、それぞれ基羽根３２は等間隔に並ぶように設けられている。各基羽根３２は、それぞれ同一形状であり、平面視でそれぞれが円周方向に短く延び、被乾燥物を一端部３２ａから載せて他端部３２ｂに移動させつつ巻き上げ可能な平坦面３３を有している。
【０１２７】
各基羽根３２の平坦面３３は、回転方向Ｒと逆方向に向かって、一端部３２ａから他端部３２ｂにかけて斜め上方に延びるように形成され、被乾燥物を各基羽根３２上に載せて巻き上げつつ、遠心力によって前記伝熱面１２に押し付け、被乾燥物を乾燥させるように構成されている。
【０１２８】
各基羽根３２の長さは、平面視で３６０度の円周範囲内であり、それぞれの他端部３２ｂが、回転方向Ｒと逆方向に隣り合う他の基羽根３２の一端部３２ａよりも高く位置し平面視で重なるように設定されている。なお、基羽根３２と取付アーム３４も一体成形されたものであり、前記回転巻上羽根２１と同様に、一枚の金属板を裁断して曲げ加工して構成されている。
【０１２９】
図１５および図１６に示すように、最下段以外の他の段の回転巻上羽根３１０の各基羽根３２０は、小円板部３４０ａの外周から放射状に延びた取付アーム３４０の先端に連結されている。小円板部３４０ａには、前記回転軸２０が通され、回転軸２０に固定するための円形貫通孔が形成されている。取付アーム３４０は、各基羽根３２０の数に合わせて６本設けられており、それぞれ前記回転軸２０の軸方向と直交する平面上に展開するように配され、それぞれの先端が前記基羽根３２０の一端部３２０ａに一体に連結している。
【０１３０】
各基羽根３２０は、それぞれ同一形状であり、平面視でそれぞれが円周方向に短く延び、被乾燥物を一端部３２０ａから載せて他端部３２０ｂに移動させつつ巻き上げ可能な平坦面３３０を有している。各基羽根３２０の平坦面３３０も、回転方向Ｒと逆方向に向かって、一端部３２０ａから他端部３２０ｂにかけて斜め上方に延びるように形成され、被乾燥物を各基羽根３２０上に載せて巻き上げつつ、遠心力によって前記伝熱面１２に押し付け、被乾燥物を乾燥させるように構成されている。
【０１３１】
各基羽根３２０の長さは、平面視で３６０度の円周範囲内であり、かつ隣り合う基羽根３２０同士の平坦面３３０が一端部３２０ａから他端部３２０ｂにかけて円周方向に互いに重ならないように設定されている。なお、各基羽根３２０と取付アーム３４０や小円板部３４０ａも、一体成形されたものであり、前記回転巻上羽根２１０と同様に、一枚の金属板を裁断して曲げ加工して構成されている。
【０１３２】
本実施の形態では、何れの基羽根３２，３２０も、前記基羽根２２，２２０よりも短く形成されている。このように基羽根３２，３２０は長さが短い分、高さも抑えられており、前記基羽根２２，２２０に比べて上下方向に嵩張らず、段数を多くしても、乾燥槽１１の全高をなるべく抑えることができる。なお、基羽根３２，３２０は、前述した６枚に限られるものではなく、その数や具体的な長さや横幅の寸法も、適宜定め得る設計事項である。
【０１３３】
本実施の形態においても、図１２に示すように、各段の回転巻上羽根３１，３１０における上下間のクリアランスＦが重要となる。このクリアランスＦの値は、前記各実施の形態と同様に、回転巻上羽根３１，３１０の直径の０〜１５％となる比率とすることで、最下段の回転巻上羽根３１から最上段の回転巻上羽根３１０に亘り、各段ごとに被乾燥物を均一な薄膜状に伝熱面１２に押し付ける乾燥工程が連続して順次繰り返されることになる。
【０１３４】
また、図１７および図１８に示すように、各段の回転巻上羽根３１，３１０における上下間の基羽根３２，３２０の相対的な配置も、前記各実施の形態と同様に、平面視で所定角度ずつ位相がずれて、回転方向Ｒと逆方向に延びる多重（本実施の形態では６重）の螺旋階段状に並ぶように配設されている。このような特別な配置により、乾燥槽１１内壁の縦方向における伝熱面１２全面を有効に活用することが可能となり、縦型の利点を生かした非常に高い乾燥効率を確実に実現することができる。
【０１３５】
以上、本発明の実施の形態を図面によって説明してきたが、具体的な構成はこれらの実施の形態に限られるものではなく、本発明の要旨を逸脱しない範囲における変更や追加があっても本発明に含まれる。例えば、各基羽根２２，２２０は、回転軸２０に放射状に固定した取付アーム２４，２４０の先端に一端部２２ａ，２２０ａが連結されているが、他端部２２ｂ，２２０ｂも、同じく回転軸２０に放射状に固定した支持アームの先端に連結するように構成すれば、十分な支持強度も得ることができる。
【０１３６】
また、前記各実施の形態では、最下段の回転巻上羽根２１，３１を除く他の段の回転巻上羽根２１０，３１０では、何れも同一形状、同一傾斜度の複数の基羽根２２０，３２０により構成されているが、必要に応じ、これらを異なるものにしても良い。例えば、回転巻上羽根２１，３１と回転巻上羽根２１０，３１０とを、最下段から順に交互に並ぶように配設しても良い。
【産業上の利用可能性】
【０１３７】
本発明の乾燥装置においては、液状のものを含む種々様々な被乾燥物に対応可能であり、特に、固形物や半固形物を含む被乾燥物や粘性の強い被乾燥物であっても、効率良く乾燥させることが可能な乾燥装置として幅広く利用することができる。
【符号の説明】
【０１３８】
１０…乾燥装置
１０Ａ…乾燥装置
１０Ｂ…乾燥装置
１１…乾燥槽
１１Ａ…乾燥槽
１１Ｂ…乾燥槽
１２…伝熱面
１３…ジャケット
１３ａ…蒸気流入部
１３ｂ…蒸気排出部
１４…上蓋
１５…底板
１６…供給管
１６ａ…供給スクリュー
１７…排出管
１７ａ…排出スクリュー
１８…電動モータ
１９…熱風導入部
２０…回転軸
２１…回転巻上羽根
２２…基羽根
２３…平坦面
２４…取付アーム
３０…受止板
３１…回転巻上羽根
３２…基羽根
３３…平坦面
３４…取付アーム
２１０…回転巻上羽根
２２０…基羽根
２３０…平坦面
２４０…取付アーム
３１０…回転巻上羽根
３２０…基羽根
３３０…平坦面
３４０…取付アーム
【図１】
2014105916.tif 000003
【図２】
2014105916.tif 000004
【図３】
2014105916.tif 000005
【図４】
2014105916.tif 000006
【図５】
2014105916.tif 000007
【図６】
2014105916.tif 000008
【図７】
2014105916.tif 000009
【図８】
2014105916.tif 000010
【図９】
2014105916.tif 000011
【図１０】
2014105916.tif 000012
【図１１】
2014105916.tif 000013
【図１２】
2014105916.tif 000014
【図１３】
2014105916.tif 000015
【図１４】
2014105916.tif 000016
【図１５】
2014105916.tif 000017
【図１６】
2014105916.tif 000018
【図１７】
2014105916.tif 000019
【図１８】
2014105916.tif 000020